(57)【要約】【課題】  燃料電池技術を利用した消費電池を提供する。【解決手段】  燃料電池技術を利用し、好ましくは、通常の電池の大きさ及び電圧の基準を満たす、消費電池であって、互いに分離可能な、２個の独立した部分からなり、これらの部分は、発電ユニット（２）と燃料供給ユニット（３）とからなり、発電ユニット（２）は、燃料供給ユニット（３）を取り換えることにより、好ましくは、長期使用可能な、再使用可能部として使用できるようになっており、燃料供給ユニット（３）は、使用後に、再使用できない、再充填不可能である、消費電池である。【選択図】  図４
2005347252.tif 000002
【特許請求の範囲】
【請求項１】
燃料電池技術を利用し、好ましくは、通常の電池の大きさ及び電圧の基準を満たす、消費電池であって、互いに分離可能な、２個の独立した部分からなり、これらの部分は、発電ユニット（２）と燃料供給ユニット（３）とからなり、発電ユニット（２）は、燃料供給ユニット（３）を取り換えることにより、好ましくは、長期使用可能な、再使用可能部として使用できるようになっており、燃料供給ユニット（３）は、使用後に、再使用できず、再充填不可能である、消費電池。
【請求項２】
前記発電ユニット（２）と前記燃料供給ユニット（３）とを接続する接続手段（４）と、前記発電ユニット（２）に対して前記燃料供給ユニット（３）を開口する開口手段（５）であって、前記発電ユニット（２）と前記燃料供給ユニット（３）とが互いに接続されると、機能するものとを備える、請求項１に記載の消費電池。
【請求項３】
前記接続手段（４）は、前記発電ユニット（２）と前記燃料供給ユニット（３）とを、互いに気密状態にねじ止めするねじ手段からなる、請求項２に記載の消費電池。
【請求項４】
前記燃料供給ユニット（３）は、陽極側接点（１６）が設けられると共に、消費電池を使用状態に置くとき、開口手段（５）により破られる、気密シール（６）を有する、請求項２又は３に記載の消費電池。
【請求項５】
前記気密シール（６）は、非導電性材料から形成される、請求項４に記載の消費電池。
【請求項６】
前記開口手段（５）は、複数個の中空の破断突出部であって、前記気密シール（６）を穿孔して、前記燃料供給ユニット（３）から前記発電ユニット（２）への燃料の供給をもたらすように構成される、請求項４又は５に記載の消費電池。
【請求項７】
パッシブ型燃料電池を利用する、請求項１乃至６のいずれか１に記載の消費電池。
【請求項８】
水素と酸素とから電気を発生するように機能する、請求項１乃至７のいずれか１に記載の消費電池。
【請求項９】
前記アノード側燃料が、物理的又は化学的手段を利用して、好ましくは、圧力手段を利用して、又は、メタルハライド若しくはカーボン・ナノファイバーへの貯蔵を利用して、前記燃料供給ユニット（３）に蓄えられる水素である、請求項８に記載の消費電池。
【請求項１０】
前記アノード側燃料が、燃料物質、好ましくは、メタノール又はＮａＢＨ４の化学反応から生成される水素である、請求項８に記載の消費電池。
【請求項１１】
前記カソード側燃料が、酸素、好ましくは、大気から得られる酸素である、請求項８乃至１０のいずれか１に記載の消費電池。
【請求項１２】
前記発電ユニット（２）は、消費電池の陰極側接点又は陰極側コレクタ（１８）を備えるとともに、大気に曝され、複数個の穿孔を孔（１７）の形で備える金属容器（１６）を有する、請求項１乃至１１のいずれか１に記載の消費電池。
【発明の詳細な説明】
【技術分野】
【０００１】
この発明は、燃料電池技術を利用する、消費電池に関する。
【背景技術】
【０００２】
本発明の説明において、用語「消費電池」は、本発明の対象となる、電池の種類であって、電池が、乾電池又は家庭用電池としてよく知られている、通常の電池の外観とほぼ同じ外観を持ち、新技術を利用して開発された発電装置である、燃料電池の技術に従って構成され、石油燃料の使用の代替手段として、自動車業界で使用されているが、今までは、定置型システム用の電力供給を目的としていたものを示すのに使用する。
【０００３】
本発明の目標は、燃料電池の技術を利用する、消費電池の構造にある。燃料電池は、通常の電池のように、電気化学反応により、化学エネルギを電気エネルギに変えるが、燃料電池では、反応物が、電池自体の外部にある点で異なる、システムである。このため、本発明の消費電池は、２個の異なる部分、すなわち、２個の異なるユニットを有することになり、一方のユニットは、外部的に貯蔵された燃料から電気を発生するシステムを備え、他方のユニットは、上述した燃料を貯蔵する。
【０００４】
イタリア人科学者、アレクサンドロ・ボルタが、歴史上１８００年に最初の電池を生み出したが、フランス人、ジョルジョ・ルクランシュが、市場に出せるシステムを開発したのは、１８６０年であった。度重なる改良の中でも、容器として陰極材料自体を使用し、電解質をゼラチン化したことが卓越しており、電池は、小型化、低価格化されて、使い易く発展してきており、電池の使用は、世界中に行き渡っている。電池の使用を一般化した象徴の一つは、標準化である。このため、通常の電池は、開回路状態では、１．５Ｖを出す、再充電不可能な、単一のセル又はユニットからなる、電気化学装置である。例外として、４．５Ｖ又は９Ｖを出すものもあるが、この種のものは、実際には、複式セルシステム、すなわち、数個の電池を直列に一纏めにしたものを備えるシステムである。これら通常の電池は、形及び寸法が異なる、種々のサイズで販売されている。最も一般的なものは、円筒形型のもので、ＡＡＡ，ＡＡ，Ｃ及びＤとして知られるタイプのものである。これらのサイズの詳細は、他の円筒形型のもの、及び角型又は平板型の通常の電池と同様に、国際電気標準会議（ＩＥＣ）の規格、６００８６−１及び６００８６−２に記載されている。
【０００５】
ルクランシュの電池に使用された化学システムは、陰極として用いる亜鉛と、陽極として用いる二酸化マンガンとからなる。ほぼ、１００年間、このシステムが、通常の電池に使用されてきたものであった。唯一重要な修正が、１９６０年代に行われ、電解質がアルカリシステムに変更され（「アルカリ電池」の名称が一般的になる原因となった）、電池の性能が大幅に改善された。
【０００６】
現在、通常の電池に市場は、化学型のＺｎＭｎＯ２（好ましくは、そのアルカリ型）が主流として続いているが、電子技術の急速な進歩により、多くの場合、携帯型機器での電気エネルギの需要を、こうした装置により供給されるエネルギでは満足できなくなっている。残念ながら、ＺｎＭｎＯ２のシステムは、技術的に古いとみなされ、さらなる急速な改良を起こりにくくさせている。
【０００７】
このことが、大きさと電圧では同じ基準を維持しながら、通常の電池に比べて、幾つかの利点をもたらす、代替技術の開発を刺激している。たとえば、ニッケル亜鉛電池は、デジタルカメラでは使用時間が長く、１．５Ｖのリチウム電池は、低価格で使用時間が長く、急速充電可能なＮｉＭＨ電池は、再使用可能であるが、いずれの電池の性能も、アルカリ一次電池の性能に比べて低い。
【発明の開示】
【発明が解決しようとする課題】
【０００８】
本発明は、競争可能な価格で、通常の電池よりも良好な性能をもたらすことができる代替技術を、燃料電池の技術に基づいて提供するものである。
【０００９】
燃料電池は、電気化学反応により、化学エネルギを電気エネルギに変換するシステムである。通常の電池と異なり、燃料電池では、反応物質は、電池自体の外部にある。燃料は、最も一般的には、ガス、好ましくは、水素と酸素であるが、メタノール等の液体、亜鉛等の固体も使用できる。燃料の一方の貯蔵を避けるため、空気を酸素源として使用して、システムのエネルギ密度を上げるのが、一般的である。
【００１０】
典型的な燃料電池の一部品では、拡散板により、水素を通して拡散させるが、拡散板は、通常、陽極の電子コレクタとしても機能する。水素が、アノードの表面全体に渡って拡散され、アノードは、触媒用担体として機能するとともに、電解質が燃料電池から漏出するのを防ぐバリヤとして機能する。水素が、触媒と接触すると、酸化の電気化学反応が生じ、プロトンと電子とを発生する。前者は、電解質中を通過し、後者は、外部回路を循環して電流を発生する。他方の電極では、上述したのと同様な拡散板が、カソードの表面全体に渡って酸素を拡散するが、カソードは、アノードの場合と同様に、触媒の担体として機能する。生じる電気化学反応は、電解質から得られる、２個のプロトンを有する酸素原子と、外部回路を通じて接近する２個の電子との結合であり、生成物は、水分子である。こうして、水素と酸素とから、生成物として電気を得、水が、残留副産物となる。
【００１１】
上述したような反応の結果得られる、電位又は電圧は、理論的には１．２３Ｖであるが、この値は、実際には、種々の要因の中でも、内部抵抗の存在により、通常の電池の使用における電圧が、１．４Ｖと０．９Ｖとの間で振動するのと同じように、０．９Ｖと０．５Ｖの間の範囲に限定される。したがって、燃料電池で実用的な電圧を得るには、少なくとも２個のユニット又はセルを直列に接続する必要がある。
【００１２】
使用する電解質の種類（ＭＣＦＣ：溶融炭酸塩、ＰＡＦＣ：リン酸、ＳＯＦＣ：固体酸化物、ＡＦＣ：アルカリ水溶液、ＰＥＭＦＣ：固体高分子膜）に応じて、５種類の燃料電池がある。本発明では、最後に記載した燃料電池の使用が、特に、セルを直列接続する場合の使用温度（大気）と操作の容易性（液体と比較して、固体高分子膜である）の点で、好ましい。
【００１３】
固体高分子膜型燃料電池の標準形式は、高電圧を得るために、いわゆるスタックを構成するように，積み重ねられ直列に接続された、扁平型セルからなるものである。このスタックでは、一つのセルと次のセルとの間に、バイポーラプレートと呼ばれる、導電板を設け、この導電板は、ガスを分配するために両側に流路（一方の側では水素、他方の側では酸素）を備えるとともに、導電板自体は、電気を伝導する。
【００１４】
たとえば、米国特許第５，９２５，４７７号及び米国特許第６，１２７，０５８号に開示されているように、同様な燃料電池で、セルを互いに隣接して設ける別の構成もある。セル間の接続は複雑化するが、燃料ガスの分離ができ、小型システム化し易い。
【００１５】
固体高分子膜型燃料電池のセルを円筒形状にすることが、たとえば、米国特許第５，５０９，９４２号、米国特許第６，００１，５００号、米国特許第６，００７，９３２号、米国特許第６，０８０，５０１号及び米国特許公開第２００３／０００２１８９０号にも開示されているが、いずれの場合も、焦点は、使用についてではなく，製造方法に専らある。
【００１６】
国際公開公報第９０／１４６９４号は、ＡＡサイズのアルカリ水溶液型燃料電池の使用を開示している。燃料として、メタノール又はエチレン・グリコールを用いており、したがって、このシステムの電圧は、１Ｖを越えないので、通常の電池に必要な電圧よりも低い。さらに、メタノールは、反応速度が極めて低いので、上述したサイズの電池から取り出すことができる電力は、著しく低い。しかしながら、電池の他の部分からの燃料の分離については、開示がなく、電池全体の交換は、経済性の観点からとても引き合わない。
【００１７】
本発明の目的は、上述した種々の技術のそれぞれ問題点を考慮して、燃料電池技術を利用した消費電池の新規の構造にある。
【００１８】
消費電池の重要なパラメータの一つは、価格であり、本発明において、燃料電池が、内部構造に、種々の高価格部品、特に触媒及び電解質膜を組み込むので、２個の異なる部分から構成される装置構造であって、一方の部分が長期使用可能部であり、他方の部分が、交換部であるものを提案する。
【課題を解決するための手段】
【００１９】
このため、ここに提案する消費電池は、通常の電池の大きさ及び電圧の基準を満たし、互いに分離可能な、２個の独立した部分からなり、これらの部分は、発電ユニットと、燃料を供給する燃料供給ユニットとからなり、さらに、発電ユニットと燃料供給ユニットとを接続する接続手段と、燃料供給ユニットを開口する開口手段とを有することを特徴とする。発電ユニットは、燃料供給ユニットを取り換えることにより、長期使用可能でかつ再使用可能であり、燃料供給ユニットは、使用後に、再使用できず、再充填不可能である。開口手段は、発電ユニットと燃料供給ユニットが互いに接続されると、機能する。
【００２０】
この消費電池は、パッシブ型燃料電池を使用するものであり、水素と酸素とから電気を発生するもので、特に、アノード側燃料としての、燃料供給ユニット３に、ガスを貯蔵することができる物理的又は化学的手段により、例えば、圧力手段により溜められ、又はメタルハイドライド若しくはカーボン・ナノファイバーに溜められた水素、又は化学的に反応して水素を生成する、メタノール若しくはＮａＢＨ４等の燃料から作られる水素と、カソード側燃料としての、空気から得られる酸素とを利用する。
【００２１】
本発明の一態様では、発電ユニットは、消費電池の陰極側接点が設けられると共に、大気に曝される、複数個の穿孔を形成された金属製胴部を有する。
【００２２】
本発明の一態様では、燃料供給ユニットは、消費電池の陽極側接点が設けられると共に、消費電池を使用状態に置くとき、開口手段により破られる、気密シールを有し、気密シールは、非導電性材料から形成されるシールである。
【００２３】
本発明の好ましい一態様では、接続手段は、発電ユニットと燃料供給ユニットとを、互いに気密状態にねじ止めするねじ手段からなる。
【００２４】
好ましくは、開口手段は、複数個の中空の破断突出部であって、気密シールを穿孔して、燃料供給ユニットから発電ユニットへの燃料の通路をもたらす。
【００２５】
発電ユニット、すなわち、長期使用可能部は、好ましくは、高分子膜を備え、ガス拡散体、電極、触媒、高分子膜、及び燃料から電気を発生するのに必要な、燃料電池の他の部品が組み込まれる、燃料電池から構成される。燃料電池内で作られる電圧は、通常の電池における電圧のほぼ半分であるので、上述した部品を繰り返し設けて、直列接続させて所要の電圧をもたらす、少なくとも２個のセルを設ける必要がある。必要な電極表面を得る，好ましい方法は、セルを円筒形状にすることであるが、円形のフラットなセルを設けることにしてもよい。
【００２６】
本発明では、発電ユニットが、燃料電池の価格が高い部品の全てを収容する。これらの部品は、もともと価格が高い又は製造が困難であるという理由で、高価格である。
【００２７】
本発明は、必ずではないが、好ましくは、カソード側燃料として、空気から得る酸素を使用して、消費電池内の部品の配置を、空気が陽極へ進入できるようにする必要がある。燃料として空気を利用すると、好ましくは、水素である、単一燃料に限定されるので、燃料供給ユニットの構造を簡便化できる。
【００２８】
燃料供給ユニットは、長期間に渡っての保存と貯蔵とを保証するために、気密的にシールされる必要がある。既に記載したように、カソード側燃料は、好ましくは、空気から得られるような酸素であるので、アノード側燃料である燃料は、好ましくは水素である。これは、水素を貯蔵する化学エネルギは、通常の電池に匹敵できる発電システムを提供するのに十分であるからである。発生される残留物は、環境に対して絶対的に無毒であり、この点が、この種の製品にとって極めて重要である。
【００２９】
アノード側燃料は、ガス状、液体状又は固体状でよく、水素又は、簡単な操作で水素を発生する物でよい。
【００３０】
アノード側燃料を使い尽くすと、燃料供給ユニットは、廃棄されるので、原材料と製造方法の双方の点で、少なくとも量産効果により、その価格は、低くする必要がある。
【００３１】
燃料電池の長期使用可能部と、燃料の貯蔵部との間の結合システムは、接合箇所での燃料の漏出を防ぐために、気密シールを保証するように構成される必要があり、さらに、本発明に係る装置は、非専門家により使用されるので、結合作業は、簡単である必要がある。
【００３２】
さらに、燃料貯蔵部分の開口システムは、上述した２個のユニットが、結合される時にのみ、機能するか、結合作業と同時に機能して、いずれの場合でも、燃料の漏出を防ぐようにする必要がある。この開口システムは、一回のみ使用されるので、破壊できるようになっていてもよい。
【００３３】
本発明は、消費電池に燃料電池技術を利用するものに関する。本発明に係る消費電池は、通常の電池に纏わる、種々の形式を取り得る。このため、好ましい形式は、１．５Ｖの円筒形システムであるが、たとえば，ＬＰ１電池形式（角型の１．５Ｖ一次電池）又は６Ｆ２２電池形式（角型の９Ｖ一次電池）等の、他の形式を排除するものではない。
【発明を実施するための最良の形態】
【００３４】
本発明を、添付図面に示す例により、詳細に説明する。しかしながら、図示の例は、本発明の単なる例示であり、本発明の理解を容易化するためのものであり、本発明の範囲を制限するものとして解釈されてはならない。
【００３５】
図１乃至５は、本発明の好ましい実施の形態を示すものであって、燃料電池技術を利用して作られる、消費電池１に関する。
【００３６】
この消費電池１は、乾電池又は家庭用電池としてよく知られている、従来の電池の大きさと電圧の基準を満たすものであり、互いに分離可能な発電ユニット２と燃料供給部３の２個の独立した部品からなり、さらに、発電ユニット２と燃料供給ユニット３とを接続する接続手段４と、発電ユニット２に取り付けるときに燃料供給ユニット３を開口する開口手段５とを備える。
【００３７】
発電ユニット２は、燃料供給ユニット３を取り換えることにより長期使用、すなわち再使用可能であり、燃料供給ユニット３は、発電ユニット２と燃料供給ユニット３とを互いに接続する時に、開口手段５を使用すると、使用後は、再使用、すなわち再充填は可能ではない。
【００３８】
消費電池１は、パッシブ型燃料電池として構成され、水素と酸素とから電気を発生するもので、特に、アノード側燃料としての、燃料供給ユニット３に、ガスを貯蔵するのに使用できる物理的又は化学的手段により、例えば、圧力手段により溜められ，又はメタルハイドライド若しくはカーボン・ナノファイバーに溜められた水素、又は化学的に反応して水素を生成する、メタノール若しくはＮａＢＨ４等の燃料物質により作られる水素と、カソード側燃料としての、空気中から得られる酸素とを利用する。
【００３９】
この実施の形態では、発電ユニット２は、消費電池１の陰極側接点すなわち陰極側コレクタ１８を備えると共に、大気と接触し、複数個の孔１７であって、針により通常形成されるものを有する、金属容器１６を備える。
【００４０】
この実施の形態では、燃料供給ユニット３は、陽極側接点２６を備えると共に、消費電池１を使用する際に、開口手段５により破られる気密シール６を備える。この実施の形態では、気密シール６は、非導電性材料から形成される。
【００４１】
この実施の形態では、接続手段４は、発電ユニット２と燃料供給ユニット３とを互いに気密状態でねじ止めするためのねじ止め手段を備え、開口手段５は、中空の突出部を複数個備え、突出部は、気密シール６に孔を開けて、燃料供給ユニット３から発電ユニット２に燃料２３を供給するように構成される。
【００４２】
図１及び２には、それぞれ、接続状態及び非接続状態にある、上述した好ましい消費電池１を示してある。下部が、発電ユニット２であり、その金属容器１６に複数個の孔１７を有し、消費電池１の長期使用可能部となる。一方、上部が、燃料供給ユニット３であり、孔が開けられていない容器２２を備え、燃料２３を溜める、再使用不可能部となる。
【００４３】
図３は、組み合わせた消費電池１の長さ方向断面図を示し、それぞれのユニット、すなわち、下部の長期使用可能部２と、燃料２３を溜める上部３と、下部２と上部３とを接続する接続手段４と、下部の長期使用可能部２に接続するとき、上部の再使用不可能部３を開口する開口手段５とが示されている。
【００４４】
図４及び５には、接続前後の、断面図を拡大して示してある。図４は、これら２個の上下部２及び３が接続された、消費電池１を示してあり、開口手段５が、気密シール６に穴を開けて、燃料２３の長期使用可能部２への供給を可能にしていることが分かる。図５には、接続前で分離されている状態にある、これら２個の上下部２及び３を示してあり、再使用不可能部３の気密シール６が明瞭に示されている。
【００４５】
通常の電池に対応する種々の型式の中で、最も一般的なものは、ＡＡ又はＬＲ６サイズである。この型式に当てはまる通常の電池の寸法は、高さ５ｃｍ、直径１．４ｃｍである。この実施の形態では、消費電池１の電圧が、１．５Ｖである場合には、消費電池１は、２組、すなわちセルを２個直列に組み込む。
【００４６】
従来型のアルカリ電池と、高分子膜を用い、水素と空気とをパッシブ方式で、すなわち、両ガスを圧縮若しくは加湿又は熱を加えることなく、供給する場合での、本発明による燃料電池技術を利用した消費電池１との性能比較によると、従来型のアルカリ電池と本発明による消費電池とがほぼ同じ電力レベルを得るには、２個のセル７及び８であって、それぞれが、アノード極９と、カソード極１０と、電解質膜１１とからなり、表面積が、４ｃｍ２であるものを用いる必要がある。
【００４７】
この大きさの２個のセル７及び８を、上述した大きさの円筒構造体内に、各セル７及び８が大気に曝されるように置く、好ましい構造は、図３に示すように、上述した長期使用可能部２を構成する、消費電池１の両端の一方に２個の同心の円筒体を構成することによりもたらされる。
【００４８】
図４及び５は、図３に示す長期使用可能部２の拡大図を示すものである。図から分かるように、長期使用可能部２は、外側セル７と内側セル８との間に設けた、水素を分散する機能を有するアノード側ガス拡散体１２と、空気からの酸素を、陽極、すなわちカソード極１０に分散する役目を負うカソード側ガス拡散体１３と備える。両拡散体１２及び１３は、ガスを分散するとともに、電極９及び１０から中間コレクタ１４への電子を移動させねばならないので、導電体である必要がある。中間コレクタ１４は、金属管で、ガス同士が混合するのを防ぐと共に、２個のセル７及び８間での電気接続をもたらす。
【００４９】
こうした構造のシステムの中心には、内側セル８の陰極、すなわちアノード極９に水素を供給する作用を行う、第２のアノード側拡散体１５が設けられる。
【００５０】
長期使用可能部２の全ての部品は、金属容器１６内に収容され、金属容器は、発電ユニット２の部品用の収容部として共に、陽極側コレクタとして作用する。金属容器１６は、外側セル７のカソード極１０への空気の通路をもたらすために、複数個の穿孔を、この実施の形態では、複数個の孔１７を有する。
【００５１】
長期使用可能部２は、使用器具への消費電池１の接続を容易にするために、又は、他の消費電池１を直列接続するために、陰極側接点又は陰極側コレクタ１８を、下端に有する。この陰極側コレクタ１８は、内側の水素拡散体１５に電気的に接続され、第１非導電材１９により、他の部品から絶縁される。この第１非導電材１９と陰極側コレクタ１８の双方は、内側空気拡散体１３への空気の流通を可能にする必要があり、このため、この実施の形態では、複数個の穿孔２０を備える。
【００５２】
長期使用可能部２は、シール２１を上端に備え、このシールは、上述したガスの流出と種々の部品間での電気接触とを防ぐ、第２の非導電性材料からなる。
【００５３】
再使用不可能部３は、長期使用可能部２よりもかなり簡便な構造を有する。基本的に、再使用不可能部は、金属製の円筒体２２で、その内部に、燃料２３、例えば、米国特許第５，６５３，９５１号明細書に開示されているような、カーボン・ナノフィバーに吸収された水素が蓄えられる。この金属製の円筒体２２は、下端が、非導電性の気密シール６によりシールされ、このシールは、開口手段５により簡単に孔が開けられる。
【００５４】
長期使用可能部２と再使用不可能部３とを接続する接続手段４は、２個の接続部品からなり、接続部品の一方は、長期使用可能部２に設けられ、接続部品の他方は、再使用不可能部３に設けられる。この実施の形態では、長期使用可能部２に設けられる接続部品２４が、接続手段４の雌型部品であり、再使用不可能部３に設けられる接続部品２５が、接続手段４の雄型部品である。しかしながら、接続手段４の形状及び配置は、一般に、使用するシステムにより決まる。
【００５５】
接続手段４の接続部品２４及び２５は、消費電池１の使用中、長期使用可能部２と再使用不可能部３とを結合させておくと共に、両部品は、長期使用可能部２の陽極側コレクタ１６を消費電池１の上端の陽極接点２６に、再使用不可能部３の外側金属容器２２を介して接続させるので、好ましくは、金属製とする。
【００５６】
接続手段４のもう一つ重要な特徴は、長期使用可能部２の開口手段５が、再使用不可能部３の気密シールを一旦開けると、燃料２３の漏れ箇所となり得るので、気密シールをもたらすことである。もっとも簡便な接続手段４は、金属製のねじであるが、他の種々な構造を用いてもよい。
【００５７】
消費電池１のこれら２個の長期使用可能部２及び再使用不可能部３を接続すると、再使用不可能部３の気密シール６を穿孔する。この瞬間、水素燃料２３は、再使用不可能部３内での貯蔵状態から移動を始め、長期使用可能部２のアノード側拡散体１２及び１５に導入され、アノード極９に到達する。この実施の形態では、開口手段５は、複数個の中空の切断突出部から構成され、穿孔の最終段階で、これら中空の切断突出部が、再使用不可能部３の気密シール６を穿孔するので、接続手段４と連動して機能する。しかしながら、開口手段５の機能は、接続機能と連動する必要はなく、２個の異なる段階で実施されてもよい。
【００５８】
最後に、本発明を、その好ましい、種々の実施の形態で説明したが、本発明は、特許請求の範囲に定義した発明の要旨を逸脱することなく、様々に修正可能であることに留意されたい。
【図面の簡単な説明】
【００５９】
【図１】図１は、使用状態にある、本発明に係る消費電池１の立面図であり、発電ユニット２と燃料供給ユニット３とが互いに接続されている状態にある。
【図２】図２は、図１に示す消費電池１の別の立面図であり、発電ユニット２と燃料供給ユニット３とが分離されている状態にある。
【図３】図３は、図１に示す消費電池１の長さ方向概略断面図である。
【図４】図４は、図３において丸く囲った箇所ＩＶの拡大図である。
【図５】図５は、図４と同様な図であって、図２におけるように、発電ユニット２と燃料供給ユニット３とが互いに分離されている状態を示すものである。
【図１】
2005347252.tif 000003
【図２】
2005347252.tif 000004
【図３】
2005347252.tif 000005
【図４】
2005347252.tif 000006
【図５】
2005347252.tif 000007